(57)【要約】【課題】  記録媒体に不要な情報が記録されてしまい、本来記録するべき映像、音声に使用できる記録容量が少なくなる。【解決手段】  動画又は静止画を音声と関連付けて記録媒体に記録する記録装置であって、入力情報からフレームの輝度及び色差情報を含むフレーム情報を取得する取得部と、取得したフレーム情報と、所定時間経過後に新たに取得するフレーム情報とを比較し、フレーム情報の変化の有無を判定する判定部と、前記判定部が変化はないと判定した場合に、フレームから静止画を作成して、前記静止画と前記入力情報中の音声を関連付けて記録媒体に記録する記録部とを備える。【選択図】  図５
2006324949.tif 000002
【特許請求の範囲】
【請求項１】
動画又は静止画を音声と関連付けて記録媒体に記録する記録装置であって、
入力情報からフレームの輝度及び色差情報を含むフレーム情報を取得する取得手段と、
取得したフレーム情報と、所定時間経過後に新たに取得するフレーム情報とを比較し、フレーム情報の変化の有無を判定する判定手段と、
前記判定手段が変化はないと判定した場合に、フレームから静止画を作成して、前記静止画と前記入力情報中の音声を関連付けて記録媒体に記録する記録手段とを備えることを特徴とする記録装置。
【請求項２】
動画又は静止画を音声と関連付けて記録媒体に記録する記録装置であって、
記録媒体に記録済みの動画からフレームの輝度及び色差情報を含むフレーム情報を取得する取得手段と、
取得したフレーム情報と、所定時間経過後に新たに取得するフレーム情報とを比較し、フレーム情報の変化の有無を判定する判定手段と、
前記判定手段が変化はないと判定した場合に、記録済みの動画に含まれる何れかのフレームから静止画を作成して、前記静止画と前記記録媒体に記録済みの動画に対応する音声とを関連付けて記録媒体に記録し直す記録手段とを備えることを特徴とする記録装置。
【請求項３】
前記記録媒体に記録済みの動画及び音声は、放送番組であり、
前記記録装置は更に、前記放送番組の管理情報から番組のジャンルを示すジャンル情報を取得し、識別する識別手段を備え、
前記記録手段は、前記識別手段が識別したジャンル情報が所定のジャンルの番組を示し、前記判定手段が変化はないと判定した場合に、当該番組の音声を前記静止画と関連付けて記録し直すことを特徴とする請求項２記載の記録装置。
【請求項４】
前記記録装置は更に、
前記記録媒体に記録済みの動画及び音声から音声のビットレートを取得する音声ビットレート取得手段を備え、
前記音声ビットレート取得手段が取得した音声のビットレートが、所定のビットレート以上であり、前記判定手段が変化はないと判定した場合に、
前記記録手段は、前記音声を前記静止画と関連付けて記録し直すことを特徴とする請求項２記載の記録装置。
【発明の詳細な説明】
【技術分野】
【０００１】
本発明は、映像及び音声を記録媒体に記録する記録装置に関する。
【背景技術】
【０００２】
近年、数ＧＢ（ギガバイト）の容量を持つ記録媒体、及びデジタルＡＶデータの符号化規格であるＭＰＥＧ２（Ｍｏｖｉｎｇ  Ｐｉｃｔｕｒｅ  Ｅｘｐｅｒｔ  Ｇｒｏｕｐ  ｐｈａｓｅ  ２）が実用化されている。これにより、ビデオデータのような大容量データをアクセス速度に優れた光ディスク形態の記録媒体に記録し、扱うことが可能となっている。
【０００３】
ビデオデータの記録は、ＧＯＰ（Ｇｒｏｕｐ  ｏｆ  ｐｉｃｔｕｒｅ）単位で行われる。ＧＯＰとは、ＭＰＥＧビデオの何枚かのピクチャ(フレーム)をひとまとまりにした単位であり、通常は０．５秒単位である。各ピクチャにはＩ、Ｐ、Ｂのピクチャタイプが存在し、複数のピクチャをまとめてＧＯＰを構成する。このうち他のピクチャなしで復号できるのはＩピクチャのみである。Iピクチャは、その1枚の画面だけを圧縮したものであり、圧縮率は低いが精度は高いピクチャである。したがって、ランダムアクセスは、Ｉピクチャにアクセスすることにより実現される。
【０００４】
このように、ランダムアクセスを実現するためにＧＯＰ構造が採用され、ＧＯＰにはＩピクチャが必ず含まれる。また、フレーム間圧縮による誤差が積み重なって拡大していくのを防止する必要もある。
したがって、従来ではビデオデータを記録媒体に記録する場合には０．５秒毎にＩピクチャを作成していた。
なお、先行技術としては特許文献１に記載されたものがある。
【特許文献１】特開２００３−２６４７９３号公報
【発明の開示】
【発明が解決しようとする課題】
【０００５】
しかしながら、画像の変化が乏しい場合、或いは画像の変化が全くない場合がある。例えば、ＣＳ、ＢＳ等のデジタル放送の一形態であるラジオ放送を記録する場合である。ラジオ放送は音声のみの放送であり、通常の動画放送の一部として放送される。ここで、音声のみのラジオ放送には、映像自体は変化しないが時間の幅がある信号が含まれる。よって、音声のみのラジオ放送を記録する場合であっても、記録装置はＧＯＰ構造を作成しようとするので、音声と同時に無意味な映像を記録することになる。具体的には、例えば、記録装置は０．５秒毎にエンコーダから出力される真っ暗な映像のＩピクチャを記録してしまう。ここで、記録する番組が2時間の番組であったなら、たとえ真っ暗な無意味な映像であったとしても、2時間分のＩピクチャを作成してしまい、標準モードで記録するなら４．７ＧＢの記録容量が必要になる。
【０００６】
このように記録媒体に不要な情報が記録されてしまい、本来記録するべき映像、音声に使用できる記録容量が少なくなるという問題点がある。
本発明は上記に鑑みてなされたものであって、画像の変化が乏しい場合、或いは画像の変化が全くない場合には、画像及び音声を使用する記憶容量が少なくなるように記録媒体に記録する記録装置を提供することを目的とする。
【課題を解決するための手段】
【０００７】
上記の課題を解決するため、本発明は動画又は静止画を音声と関連付けて記録媒体に記録する記録装置であって、入力情報からフレームの輝度及び色差情報を含むフレーム情報を取得する取得手段と、取得したフレーム情報と、所定時間経過後に新たに取得するフレーム情報とを比較し、フレーム情報の変化の有無を判定する判定手段と、前記判定手段が変化はないと判定した場合に、フレームから静止画を作成して、前記静止画と前記入力情報中の音声を関連付けて記録媒体に記録する記録手段とを備えることを特徴とする記録装置である。
【発明の効果】
【０００８】
本発明は、上記の構成を備えることにより、入力情報からフレーム情報を取得し、フレーム情報の時間的変化の有無を判定し、変化がないと判定されれば、ユーザ操作なしに音声を作成した静止画と関連付けて記録することが可能となる。よって、動画と音声を記録する場合よりも記録するのに必要な記録容量は少なくて済む。
ここで、動画又は静止画を音声と関連付けて記録媒体に記録する記録装置であって、記録媒体に記録済みの動画からフレームの輝度及び色差情報を含むフレーム情報を取得する取得手段と、取得したフレーム情報と、所定時間経過後に新たに取得するフレーム情報とを比較し、フレーム情報の変化の有無を判定する判定手段と、前記判定手段が変化はないと判定した場合に、記録済みの動画に含まれる何れかのフレームから静止画を作成して、前記静止画と前記記録媒体に記録済みの動画に対応する音声とを関連付けて記録媒体に記録し直す記録手段とを備えるとしても良い。
【０００９】
これにより、既に記録媒体に記録済みの動画に対して、フレーム情報の時間的変化の有無を判定し、変化がないと判定されれば、ユーザ操作なしに音声のみを作成した静止画と関連付けて記録し直すことが可能となる。
ここで、前記記録媒体に記録済みの動画及び音声は、放送番組であり、前記記録装置は更に、前記放送番組の管理情報から番組のジャンルを示すジャンル情報を取得し、識別する識別手段を備え、前記記録手段は、前記識別手段が識別したジャンル情報が所定のジャンルの番組を示し、前記判定手段が変化はないと判定した場合に、当該番組の音声を前記静止画と関連付けて記録し直すとしても良い。
【００１０】
これにより、記録媒体に記録済みの番組であって、音楽等特定のジャンルの情報を記録した番組に対して、ユーザ操作なしに音声のみを作成した静止画と関連付けて記録し直すことが可能となる。
ここで、前記記録装置は更に、前記記録媒体に記録済みの動画及び音声から音声のビットレートを取得する音声ビットレート取得手段を備え、前記音声ビットレート取得手段が取得した音声のビットレートが、所定のビットレート以上であり、前記判定手段が変化はないと判定した場合に、前記記録手段は、前記音声を前記静止画と関連付けて記録し直すとしても良い。
【００１１】
これにより、音声の記録を目的として高い符号化ビットレートで記録されている番組に対して、ユーザ操作なしに音声のみを作成した静止画と関連付けて記録し直すことが可能となる。
【発明を実施するための最良の形態】
【００１２】
以下に、放送番組をＤＶＤ−ＲＡＭに記録するＤＶＤ−ＲＡＭビデオレコーダを例に挙げて説明する。
以下、本発明の実施の形態について図面を用いて説明する。
（第一実施形態）
＜構成＞
図１は本実施に係るＤＶＤ−ＲＡＭビデオレコーダ１００のシステム構成を表すブロック図である。図１に示すようにＤＶＤ−ＲＡＭビデオレコーダ１００は、Ａ／Ｄコンバータ１０１と、Ａ／Ｄコンバータ１０２と、ビデオエンコーダ１０３と、オーディオエンコーダ１０４と、フレームバッファ１０５と、オーディオバッファ１０６と、変化判定部１０７と、動き予測部１０８と、静止画作成部１０９と、マルチプレクサ１１０と、ＤＶＤドライブ１１１とを含む。
【００１３】
ＳＴＢ１０は、番組を受信し、ビデオ信号をＡ／Ｄコンバータ１０１に、オーディオ信号をＡ／Ｄコンバータ１０２に送信する。
Ａ／Ｄコンバータ１０１は、ビデオ信号をＡ／Ｄ変換し、非圧縮のデジタル形式にする。
Ａ／Ｄコンバータ１０２は、オーディオ信号をＡ／Ｄ変換し、非圧縮のデジタル形式にする。
【００１４】
ビデオエンコーダ１０３は、ビデオ信号を圧縮する。
オーディオエンコーダ１０４は、オーディオ信号を圧縮する。
フレームバッファ１０５は、ビデオエンコーダ１０３のエンコードにより得られた圧縮状態のフレーム（ピクチャデータ）を格納する。
オーディオバッファ１０６は、複数のオーディオフレームを一時的に格納する。例えば、動き予測部１０８で動き検出がなされるまで格納する。
【００１５】
変化判定部１０７は、ビデオエンコーダ１０３によってエンコードされたフレーム情報から映像の変化の有無を判定する。変化判定部１０７は、図２に示すように、取得部２０１と、記憶部２０２と、閾値保持部２０３と、比較判定部２０４とから構成される。
取得部２０１は、各画素毎の輝度情報と色差情報から成るフレーム情報を取得する。
記憶部２０２は、取得したフレーム情報を記憶する。
【００１６】
閾値保持部２０３は、所定の閾値を保持する。例えば、比較するフレーム情報が完全一致する場合のみ静止画と音声を関連付けて記録するとすると、所定の閾値は、０となる。
比較判定部２０４は、取得部２０１で取得した新規フレーム情報と、記憶部２０２に記憶されている過去フレーム情報を比較することで、映像の変化の有無を判定する。具体的には、例えば、新規フレーム情報と過去フレーム情報の差分の絶対値を閾値保持部２０３に保持されている所定の閾値と比較する。所定の閾値より絶対値の方が小さい場合は、映像の変化はないものとする。
【００１７】
動き予測部１０８は、動画像で動いている部分を検出し、この検出部分と１つ前の画面から次の画面を予測する。
静止画作成部１０９は、フレームバッファ１０５中のＩピクチャにエンドコードを付与し、静止画を作成する。
マルチプレクサ１１０は、複数の信号を多重化して一つの信号にする。具体的には、変化判定部１０７が変化なしと判定した場合には、音声と静止画を多重化する。変化があると判定した場合は、音声と動画を多重化する。
【００１８】
ＤＶＤドライブ１１１は、番組の読み書きを行う。読み書きには、バスを通じて転送されてくる番組をＤＶＤ−ＲＡＭに書き込む処理や、ＤＶＤ−ＲＡＭに記録されている番組を読み出してバスに転送する処理がある。
＜データ＞
図３は、静止画と音声及び動画と音声がどのように関連付けられ記録されるかを示した図である。図３（１）に示すように、静止画と音声の場合は、Ｉピクチャにエンドコードを付した静止画の後に音声が連続して記録される。図３（２）に示すように、動画と音声の場合は、複数のピクチャデータと時間的な関連のあるオーディオデータが近接して記録される。
【００１９】
静止画と音声又は動画と音声が記録されると、図４に示すように管理情報が付される。
Ｓ＿ＶＯＢ＿ＳＴＩ４０１は、Ｓｔｉｌｌ＿ＶＯＢに対応するストリーム属性情報であり、各Ｓｔｉｌｌ＿ＶＯＢに含まれるピクチャデータがどのようなビデオ属性を有しているか（圧縮方式、アスペクト比、NTSC／PAL、line21情報など）、各Ｓｔｉｌｌ＿ＶＯＢに含まれるオーディオデータがどのようなオーディオ属性を有しているか（圧縮方式、チャンネル数、周波数など）を示す。
【００２０】
Ｓ＿ＶＯＢ＿ＥＮＴ４０２は、対応するＳｔｉｌｌ＿ＶＯＢが音無し静止画であるか、オリジナルオーディオ付き静止画であるか、アフレコオーディオ付き静止画であるか、オリジナル・アフレコオーディオ付き静止画であるかを示すＳ＿ＶＯＢ＿ＥＮＴ＿ＴＹ４０３と、Ｓｔｉｌｌ＿ＶＯＢに含まれるピクチャデータのサイズを示すＶ＿ＰＡＲＴ＿ＳＺ４０４と、Ｓｔｉｌｌ＿ＶＯＢにオリジナルオーディオが存在する場合、このオリジナルオーディオのサイズを示すＯＡ＿ＰＡＲＴ＿ＳＺ４０５と、このオリジナルオーディオの再生時間を示すＯＡ＿ＰＡＲＴ＿ＰＢ＿ＴＭ４０６とを含む。
【００２１】
本実施形態では、Ｓｔｉｌｌ＿ＶＯＢにオリジナルオーディオが設定されているので、当該Ｓｔｉｌｌ＿ＶＯＢに対応するＳ＿ＶＯＢ＿ＥＮＴ４０２には、ＯＡ＿ＰＡＲＴ＿ＳＺ４０５及びＯＡ＿ＰＡＲＴ＿ＰＢ＿ＴＭ４０５が存在する。
また、Ｓｔｉｌｌ＿ＶＯＢにオリジナルオーディオが設定されていない場合は、当該Ｓｔｉｌｌ＿ＶＯＢに対応するＳ＿ＶＯＢ＿ＥＮＴ４０２には、ＯＡ＿ＰＡＲＴ＿ＳＺ４０５及びＯＡ＿ＰＡＲＴ＿ＰＢ＿ＴＭ４０６は存在しない
＜動作＞
次に、変化判定部１０７が行う変化判定処理について図５のフローチャートを用いて説明する。まず、2枚のフレームのエンコードが完了したか否かを判断する（ステップＳ５０１）。ここで、2枚のフレームの間隔は、例えばオーディオバッファが一杯になる期間とする。完了していれば、変化判定部１０７は、2枚のフレームのそれぞれについて、フレーム全体の輝度の平均値を求め、その差分の絶対値を計算する（ステップＳ５０２）。続いて、所定の閾値が絶対値以上か否かを判断する（ステップＳ５０３）。所定の閾値が絶対値以上であれば、フレームバッファ中のＩピクチャにエンドコードを付して、静止画を作成する（ステップＳ５０４）。作成した静止画を記録し（ステップＳ５０５）、後は音声のみを記録する（ステップＳ５０６）。記録の終了又は停止か否かを判断し（ステップＳ５０７）、記録の終了又は停止まで音声を記録する。記録の終了又は停止があると、音声のみの記録か否かを判断し（ステップＳ５１０）、音声のみの記録の場合は、先頭の動画部分を削除する（ステップＳ５１１）。その後、管理情報の更新を行う（ステップＳ５１２）。ステップＳ５１０にて、音声のみの記録でない場合はステップＳ５１２に移行する。また、ステップＳ５０３にて、所定の閾値の方が小さければ、動画と音声を記録する（ステップＳ５０８）。記録の終了又は停止か否かを判断し（ステップＳ５０９）、記録の終了又は停止まで動画と音声を記録する。記録の終了又は停止があると、ステップＳ５１０に移行する。
【００２２】
以上のように本実施形態によれば、放送番組の音声情報のみを静止画と関連付けて記録することができる。よって、使用する記録領域を削減することができる。
また、変化判定処理を行うタイミングは、記録開始後に変化判定処理を行う指示をユーザより受け付ける、或いは予め初期設定や番組録画予約等により指定しておくとする。
（第二実施形態）
本実施形態では、すでに記録媒体に記録された放送番組から音声データのみを抜き出して、静止画と関連付けて記録する場合について説明する。ＤＶＤでは、映像・音声・字幕などの情報をMPEG-2 PS方式で多重化してディスクに記録される。MPEG-2 PSは、パックと呼ばれる単位を並べたストリームである。パックは、基準時刻情報をパックヘッダ６００として持ち、PESパケット1個を1パックに格納する。図６はMPEG-2 PS方式のデータ構造である。
【００２３】
ＰＥＳパケット６０１は、パケットヘッダ６０２と、プライベートヘッダ６０３と、符号化された映像／音声データ６０４とで構成される。データは、１パケット単位で出力される。
パケットヘッダ６０２は、ｓｔｒｅａｍ＿ｉｄ６０５と、ＰＥＳ＿ｐａｃｋｅｔ＿ｌｅｎｇｔｈ６０６と、ＰＴＳ６０７とを含む。
【００２４】
ｓｔｒｅａｍ＿ｉｄ６０５は、データの種別を表す。
ＰＥＳ＿ｐａｃｋｅｔ＿ｌｅｎｇｔｈ６０６は、映像／音声データのサイズを表す。
ＰＴＳ６０７は、再生開始時間情報を表す。
プライベートヘッダ６０３は、ｓｔｒｅａｍ＿ｉｄ６０５と組み合わせてデータ種別を表すｓｕｂ＿ｓｔｒｅａｍ＿ｉｄ６０８を含む。
＜構成＞
図７は本実施に係るＤＶＤ−ＲＡＭビデオレコーダ７００のシステム構成の一例を表すブロック図である。図７に示すように、ＤＶＤ−ＲＡＭビデオレコーダ７００は、ＤＶＤドライブ７０１と、バッファ７０２と、変化判定部７０３と、静止画作成部７０４と、フィルタリング部７０５とを含む。
【００２５】
ＤＶＤドライブ７０１は、ＤＶＤ−ＲＡＭに記録されている番組を読み出す。また、変化判定部７０３が変化はないと判定した場合に、音声と静止画を関連付けて記録する。
バッファ７０２は、MPEG-2 PS形式のデータを格納する。
変化判定部７０３は、バッファ７０２からデータを取得し、データ中のＰＴＳ６０７及びＰＥＳ＿ｐａｃｋｅｔ＿ｌｅｎｇｔｈ６０６から映像の変化があるか否かを判定する。変化判定部７０３は、図８に示すように、取得部８０１と、時間情報用バッファ８０２と、映像サイズ用バッファ８０３と、閾値保持部８０４と、比較判定部８０５とから構成される。
【００２６】
取得部８０１は、ＳＴＢ１０から出力されるデータ中のＰＴＳ及びＰＥＳ＿ｐａｃｋｅｔ＿ｌｅｎｇｔｈ６０６を取得する。
時間情報用バッファ８０２は、取得したＰＴＳ６０７を格納する。
映像サイズ用バッファ８０３は、取得したＰＥＳ＿ｐａｃｋｅｔ＿ｌｅｎｇｔｈ６０６を格納する。
【００２７】
閾値保持部８０４は、所定の閾値を保持する。
比較判定部８０５は、取得部８０１で取得したＰＴＳ６０７と、時間情報用バッファ８０２に格納されているＰＴＳ６０７を比較する。ＰＴＳ６０７に変化があれば、ＰＴＳ６０７の差分値と映像サイズ用バッファ８０３に格納されているＰＥＳ＿ｐａｃｋｅｔ＿ｌｅｎｇｔｈ６０６とから映像ビットレートを算出する。算出した映像ビットレートと所定の閾値と比較し、所定の閾値よりも映像ビットレートが小さい場合は、映像の変化はないものとする。
【００２８】
静止画作成部７０４は、変化判定部７０３が変化はないと判定した場合に、データの中からＩピクチャを1枚取得し、取得したＩピクチャにエンドコードを付して、静止画を作成する。
フィルタリング部７０５は、変化判定部７０３が変化はないと判断した場合に、ｓｔｒｅａｍ＿ｉｄ６０５が音声を示すデータのみ出力する。
＜動作＞
続いて、変化判定部７０３が行う変化判定処理ついて、図９のフローチャートを用いて説明する。
【００２９】
まず、バッファ７０２からデータを取得し（ステップＳ８０１）、ｓｔｒｅａｍ＿ｉｄ６０５が映像を示すものであるか否かを判断する（ステップＳ８０２）。ｓｔｒｅａｍ＿ｉｄ６０５が映像を示す場合は、ＰＴＳ６０７及びＰＥＳ＿ｐａｃｋｅｔ＿ｌｅｎｇｔｈ６０６を取得し（ステップＳ８０３）、取得したＰＴＳ６０７及びＰＥＳ＿ｐａｃｋｅｔ＿ｌｅｎｇｔｈ６０６を時間情報用バッファ８０２及び映像サイズ用バッファ８０３にそれぞれ格納する（ステップＳ８０４）。続いて、再びデータを取得し（ステップＳ８０５）、ｓｔｒｅａｍ＿ｉｄ６０５が映像を示すものであるか否かを判断する（ステップＳ８０６）。ｓｔｒｅａｍ＿ｉｄ６０５が映像を示すものである場合、ＰＴＳ６０７を時間情報用バッファ８０２に格納されているＰＴＳ６０７と比較し、変化があるか否かを判断する（ステップＳ８０７）。変化が無い場合は、映像サイズ用バッファ８０３にＰＥＳ＿ｐａｃｋｅｔ＿ｌｅｎｇｔｈ６０６を加算し（ステップＳ８０８）、再びデータを取得する。ステップＳ８０７でＰＴＳ６０７に変化があった場合、ＰＴＳ６０７と時間情報用バッファ８０２に格納されているＰＴＳ６０７との差分を計算する（ステップＳ８０９）。計算したＰＴＳ６０７の差分と映像サイズ用バッファ８０３に格納されている映像サイズから単位時間当たりの映像サイズ（以下、「映像ビットレート」という）を算出する（ステップＳ８１０）。算出した映像ビットレートをあらかじめ設定済みの所定の閾値と比較する（ステップＳ８１１）。所定の閾値が計算値以上であれば、Ｉピクチャにエンドコードを付して、静止画を作成する（ステップＳ８１２）。作成した静止画を記録し（ステップＳ８１３）、後は音声のみを記録する（ステップＳ８１４）。記録の終了又は停止か否かを判断し（ステップＳ８１５）、記録の終了又は停止まで音声を記録する。記録の終了又は停止があると、管理情報を更新する（ステップＳ８１６）。また、ステップＳ８１１にて、所定の閾値の方が小さければ、変化判定処理を終了する。
【００３０】
また、図４に示す管理情報の内容を参照することで、記録されているデータの特性を知ることができる。記録された番組にはテキスト情報ＩＴ＿ＴＸＴ４０８を合わせて記録することが可能である。ＩＴ＿ＴＸＴ４０８中には識別コード（ＩＤＣＤ）があり、これは記録した番組のジャンルを表す値を示す。よって、ＩＤＣＤを参照することで、ＭｕｓｉｃやＡｒｔといった特定のジャンルの番組を判別し、当該番組について、映像の時間的変化の有無を判定し、変化がないと判定した場合には、音声を作成した静止画と関連付けて記録し直すことが可能となる。
【００３１】
また、管理情報には動画データの音声属性を示すＡ＿ＡＴＲ４０７が記録されている。このなかには音声のビットレートを表す情報Ｂｉｔｒａｔｅがあり、これを参照することで、所定のビットレート以上の番組を判別できる。よって、当該番組に対して、映像の時間的変化の有無を判定し、変化がないと判定した場合には、音声のみを作成した静止画と関連付けて記録しなおすことが可能となる。
【００３２】
以上のように本実施形態によれば、すでに記録媒体に記録されている放送番組の音声情報のみを静止画と関連付けて記録し直すことができる。よって、使用する記録領域を削減することができる。
なお、本実施形態ではＰＥＳパケットに含まれるＰＴＳとＰＥＳ＿ｐａｃｋｅｔ＿ｌｅｎｇｔｈから映像ビットレートを算出し、所定の閾値と比較することで映像の変化の有無を判定したが、第一実施形態と同様にフレームの輝度から映像の変化の有無を判定しても良い。
【００３３】
（補足）
以上、本発明に係る記録装置について、実施の形態に基づいて説明したが、本発明は上記の実施の形態に限られないことは勿論である。
上記の実施形態では、図５のステップＳ５１１において、動画部分を削除したが、音声部分のみを別領域に記録し直しても良い。
【００３４】
上記の実施形態では、図５のステップＳ５０２において、フレーム全体の輝度の平均値を計算し、それを比較したが、他の比較方法を用いても良い。例えば、一画素ずつ比較するとしても良い。
上記の実施形態では、Ｉピクチャにエンドコードを付すことにより静止画を作成したが、予め記録装置に静止画を保持させておき、その静止画と音声を関連付けて記録するとしても良い。
【００３５】
上記の実施形態では、ＤＶＤ−ＲＡＭビデオレコーダが予め所定の閾値を保持していたが、記録開始前にユーザ操作により設定するとしても良い。
上記の実施形態では、記憶媒体としてＤＶＤ−ＲＡＭを用いたが、それに限らない。例えば、CD-R、CD-RW等の他の光ディスクであっても良いし、またコンパクトフラッシュ（登録商標）カード、スマートメディア、メモリスティック、マルチメディアカード、PCM-CIAカード等の半導体メモリカードであっても良い。或いはSuperDisk、Zip、Clik!等の磁気記録ディスク、ORB、Jaz、SparQ、SyJet、EZFley、マイクロドライブ等のリムーバルハードディスクドライブであっても良い。
【００３６】
上記の実施形態では、記録装置としてＤＶＤ−ＲＡＭビデオレコーダを用いたが、それに限らない。他の記録装置でも良い。
上記の実施形態では、記録装置を用いたが、本発明は上記フローチャートで示したステップを含む方法、上記フローチャートで示したステップをコンピュータに実行させるプログラムコードを含むプログラム、システムＬＳＩ等の集積回路であっても良い。
【００３７】
上記の実施形態では、変化判定処理を一度しか行わなかったが、複数回行うとしても良い。
【産業上の利用可能性】
【００３８】
本発明を構成する記録装置は、製造産業において経営的に、また継続的及び反復的に製造し、販売することができる。また、ＢＳ、ＣＳ放送等のラジオ番組をＤＶＤ−ＲＡＭ等の光ディスクに記録するビデオレコーダとして有用である。
【図面の簡単な説明】
【００３９】
【図１】第一実施形態におけるＤＶＤ−ＲＡＭビデオレコーダ１００のシステム構成を示すブロック図
【図２】変化判定部１０７の構成を示すブロック図
【図３】データ構造を示す図
【図４】管理情報の構成図
【図５】変化判定処理を示すフローチャート
【図６】ＭＰＥＧ−２  ＰＳ方式のデータ構造
【図７】第二実施形態におけるＤＶＤ−ＲＡＭビデオレコーダ７００のシステム構成を示すブロック図
【図８】変化判定部７０３の構成を示すブロック図
【図９】変化判定処理を示すフローチャート
【符号の説明】
【００４０】
１０    ＳＴＢ
１０１  Ａ／Ｄコンバータ
１０２  Ａ／Ｄコンバータ
１０３  ビデオエンコーダ
１０４  オーディオエンコーダ
１０５  フレームバッファ
１０６  オーディオバッファ
１０７  変化判定部
１０８  動き予測部
１０９  静止画作成部
１１０  マルチプレクサ
１１１  ＤＶＤドライブ
２０１  取得部
２０２  記憶部
２０３  閾値保持部
２０４  比較判定部
７０１  ＤＶＤドライブ
７０２  バッファ
７０３  変化判定部
７０４  静止画作成部
７０５  フィルタリング部
８０１  取得部
８０２  時間情報用バッファ
８０３  映像サイズ用バッファ
８０４  閾値保持部
８０５  比較判定部
【図１】
2006324949.tif 000003
【図２】
2006324949.tif 000004
【図３】
2006324949.tif 000005
【図４】
2006324949.tif 000006
【図５】
2006324949.tif 000007
【図６】
2006324949.tif 000008
【図７】
2006324949.tif 000009
【図８】
2006324949.tif 000010
【図９】
2006324949.tif 000011